(57)【要約】  好ましくは家具製品のための、パネル（２）及び隣接するパネル（３）を備えるパネルのセット（１）、方法、及び固定装置であり、パネル（２）は、溝（２１）と、開口（２３）を介して溝（２１）に接続される少なくとも１つの穴（２２）とを含み、隣接するパネル（３）は、パネル（２）の溝（２１）に配置されるように構成される第１エッジ（３１）を含み、パネル（２）は、隣接するパネル（３）の第１エッジ（３１）をパネル（２）の溝（２１）において固定するように構成される固定装置（４）を備え、固定装置（４）は、シリンダー（４１）と、シリンダー（４１）に接続されるレバー（４２）とを備え、シリンダー（４１）は、パネル（２）における穴（２２）に配置されるように構成され、シリンダー（４１）は、上部ベース及び下部ベース（４３、４４）と、上部ベース及び下部ベース（４３、４４）を接続する固定面（４５）とを備える偏心シリンダー（４１）であり、シリンダー（４１）は、穴（２２）における軸（Ａ）を中心にシリンダー（４１）が回転されると、カムとして働くように構成され、レバー（４２）は、回転される場合、軸（Ａ）を中心にシリンダー（４１）を取付位置と固定位置との間で回転させるように構成され、取付位置において、隣接するパネル（３）の第１エッジ（３１）は、パネル（２）の溝（２１）に自由に配置されるように構成され、固定位置において、固定装置（４）の固定面（４５）の一部（４５ａ）は、開口（２３）を通って溝（２１）内に延び、溝（２１）において隣接するパネル（３）を固定する。
2021508019.tif 000002
【特許請求の範囲】
【請求項１】
パネル（２）及び隣接するパネル（３）を備える、好ましくは家具製品のための、パネルのセット（１）であって、
−  前記パネル（２）は、溝（２１）と、開口（２３）を介して前記溝（２１）に接続される少なくとも１つの穴（２２）とを備え、
−  前記隣接するパネル（３）は、前記パネル（２）の前記溝（２１）に配置されるように構成される第１エッジ（３１）を備え、
−  前記パネル（２）は、前記隣接するパネル（３）の前記第１エッジ（３１）を前記パネル（２）の前記溝（２１）において固定するように構成される固定装置（４）を備え、
−  前記固定装置（４）は、シリンダー（４１）と、前記シリンダー（４１）に接続されるレバー（４２）とを備え、
−  前記シリンダー（４１）は、前記パネル（２）における前記穴（２２）に配置されるように構成され、
−  前記シリンダー（４１）は、上部ベース及び下部ベース（４３、４４）と、前記上部ベース及び前記下部ベース（４３、４４）を接続する固定面（４５）とを備える偏心シリンダー（４１）であり、
−  前記シリンダー（４１）は、前記穴（２２）における軸（Ａ）を中心に前記シリンダー（４１）が回転される場合に、カムとして働くように構成され、
−  前記レバー（４２）は、回転される場合、前記軸（Ａ）を中心に前記シリンダー（４１）を取付位置と固定位置との間で回転させるように構成され、
・  前記取付位置において、前記隣接するパネル（３）の前記第１エッジ（３１）は、前記パネル（２）の前記溝（２１）に配置されるように構成され、
・  前記固定位置において、前記固定装置（４）の前記固定面（４５）の一部（４５ａ）は、前記開口（２３）を通って前記溝（２１）内に延び、前記溝（２１）において前記隣接するパネル（３）を固定する、パネルのセット（１）。
【請求項２】
前記シリンダー（４１）の前記固定面（４５）は、断面カタツムリ形状、断面偏心楕円形状、又は断面卵形状を有する、請求項１に記載のパネルのセット（１）。
【請求項３】
前記シリンダー（４１）の前記固定面（４５）は、カタツムリ形状、偏心形状及び／又は卵形状の組み合わせである形状を有する、請求項２に記載のパネルのセット（１）。
【請求項４】
前記固定装置（４）は、前記固定位置において、前記隣接するパネル（３）を、それを前記溝（２１）の壁（２４）対して押し付けることによって、前記パネル（２）に対して固定するように設けられる、請求項１〜３のいずれかに記載のパネルのセット（１）。
【請求項５】
前記穴（２２）は円形穴であり、前記穴（２３）の弓形（２５）は、前記弓形（２５）の高さ（ｈ）で前記溝（２１）内に延び、前記弓形（２５）の弦（ｃ）は前記開口（２３）の幅（ｗ）を定める、請求項１〜４のいずれかに記載のパネルのセット（１）。
【請求項６】
前記シリンダー（４１）の最大直径（ｄＬ）は、前記穴の直径（ｄＨ）に実質的に等しい、請求項４又は５に記載のパネルのセット。
【請求項７】
前記固定位置において、前記固定面（４５）の前記一部（４５ａ）は、前記シリンダー（４１）の前記最大直径（ｄＬ）の５〜２５％である長さ（ｈＰ）で、好ましくは前記シリンダー（４１）の前記最大直径（ｄＬ）の１０〜１５％である長さ（ｈＰ）で、前記開口（２３）を通って前記溝（２１）内に延びる、請求項１〜６のいずれかに記載のパネルのセット（１）。
【請求項８】
前記固定面（４５）の前記一部（４５ａ）が前記固定位置において前記溝（２１）内に延びる、前記シリンダーの半径方向の長さ（ｈＰ）は、前記弓形（２５）の高さ（ｈ）に実質的に対応する、請求項７に記載のパネルのセット（１）。
【請求項９】
前記取付位置において、前記シリンダー（４１）は前記開口（２３）を通って前記溝（２１）内に延びない、請求項１〜８のいずれかに記載のパネルのセット（１）。
【請求項１０】
前記開口（２３）を通って前記溝（２１）内に延びる前記固定面（４５）の前記一部（４５ａ）の長さ（ｈＰ）は、前記固定装置（４１）が前記取付位置から前記固定位置に移動される場合に、徐々に増大するように構成される、請求項７〜９のいずれかに記載のパネルのセット（１）。
【請求項１１】
前記シリンダー（４１）の前記固定面（４５）は１つ以上の隆起（４６）を備える、請求項１〜１０のいずれかに記載のパネルのセット（１）。
【請求項１２】
前記１つ以上の隆起（４６）は、前記固定面（４５）の周囲の少なくとも一部の周りに延びる、請求項１１に記載のパネルのセット（１）。
【請求項１３】
前記隆起（４６）の高さはその延長に沿って変化する、請求項１１又は１２に記載のパネルのセット（１）。
【請求項１４】
前記１つ以上の隆起（４６）は、前記固定装置（４）を前記取付位置から前記固定位置に移動させる場合に、前記隣接するパネル（３）を下向きに押すように構成されるらせん形状を有する、請求項１１〜１３のいずれかに記載のパネルのセット（１）。
【請求項１５】
前記隣接するパネル（３）は、前記開口（２３）に配置されるように且つ前記シリンダー（４１）と相互作用して前記隣接するパネル（３）を前記パネル（２）に固定するように構成される第２の穴（３２）を備える、請求項１〜１４のいずれかに記載のパネルのセット（１）。
【請求項１６】
前記シリンダー（４１）の前記固定面（４５）は、前記固定位置において少なくとも部分的に前記第２の穴（３２）に配置されるように構成される少なくとも１つの隆起（４７）を備える、請求項１５に記載のパネルのセット（１）。
【請求項１７】
前記隆起（４７）のエッジは、前記第２の穴（３２）の壁（３３）と相互作用して前記隣接するパネル（３）を下向きに前記パネル（２）の前記溝（２１）内に押すように構成される傾斜面（４８）を有する、請求項１６に記載のパネルのセット（１）。
【請求項１８】
前記レバー（４２）は、内側端部（４２ａ）で前記シリンダー（４１）に接続され、外側端部（４２ｂ）で固定ピン（４９）を備え、当該固定ピン（４９）は、前記固定位置において、前記穴（２２）から距離を置いて前記溝（２１）に配置されように及び前記固定位置から前記取付位置に向かって回転することから前記レバー（４２）を固定するように構成される、請求項１〜１７のいずれかに記載のパネルのセット（１）。
【請求項１９】
前記固定装置（４）は、前記レバーの前記外側端部（４２ｂ）が、前記取付位置において前記隣接するパネル（３）から距離を置いて配置されるように、及び、前記固定位置において前記隣接するパネル（３）と隣り合うように、好ましくは接触するように、構成される、請求項１８に記載のパネルのセット（１）。
【請求項２０】
前記固定装置（４）は、前記レバー（４２）が、前記取付位置において、前記隣接するパネル（３）から約７０°〜約１１０°の範囲内で又は本質的に垂直な方向に延びるように、構成される、請求項１８又は１９に記載のパネルのセット（１）。
【請求項２１】
前記固定装置（４）は、前記レバー（４２）及び前記シリンダー（４１）を３０°〜１８０°、好ましくは９０°〜１８０°、回すことにより、前記取付位置と前記固定位置との間で動かされるように構成される、請求項１〜２０のいずれかに記載のパネルのセット（１）。
【請求項２２】
前記パネル（２）及び前記隣接するパネル（３）は、引き出しの底部片、フレーム、及び家具製品の後部片のうちの１つである、請求項１〜２１のいずれかに記載のパネルのセット（１）。
【請求項２３】
請求項１〜２２のいずれかに記載の、家具製品用の固定装置（４）。
【請求項２４】
請求項１〜２２のいずれかに記載のパネルのセット（１）の組み立ての方法であって、
ａ）  前記固定装置（４）の前記シリンダー（４１）を前記パネル（２）の前記穴（２２）内に挿入するステップと、
ｂ）  前記固定装置（４）の前記レバー（４２）を回して、前記固定装置（４）を前記取付位置に位置付けるステップと、
ｃ）  前記隣接するパネル（３）の前記第１エッジ（３１）を前記パネル（２）の前記溝（２１）内に挿入するステップと、
ｄ）  前記レバー（４２）を第１方向に回して、前記固定装置（４）を前記取付位置から前記固定位置に移動させて、前記隣接するパネル（３）の前記第１エッジ（３１）を前記溝（２１）に固定するステップと、を備える方法。
【請求項２５】
ｅ）  前記レバー（４２）を第２方向に回して前記固定装置（４）を前記固定位置から前記取付位置に移動させて、前記隣接するパネル（３）の前記第１エッジ（３１）を前記溝（２１）で固定解除するステップと、
ｆ）  前記隣接するパネル（３）の前記第１エッジ（３１）を前記パネル（２）の前記溝（２１）から取り除くステップと、
を更に備える請求項２４に記載の方法。
【発明の詳細な説明】
【技術分野】
【０００１】
本発明の実施形態は、互いに垂直に配置され、機械的固定装置とともに固定されうるパネルに関する。パネルは、本棚、食器棚、ワードローブ、ボックス、引き出し、又は家具コンポーネントなどの家具製品を得るように、組み立てられ、一緒に固定されてもよい。
【背景技術】
【０００２】
ＷＯ２０１４／０７２０８０に開示されているように、機械的固定装置が設けられる家具製品が当技術分野で知られている。家具製品は、機械的固定装置によって第２パネルに垂直に接続される第１パネルを備え、当該機械的固定装置は、挿入溝における可撓性舌部と、機械的固定装置内に挿入されて可撓性舌部を動かすピンとを備える。
【０００３】
本発明の実施形態は、パネルのより簡単な組み立て及び／又は増大した固定強度を提供する必要性に対処する。
【発明の概要】
【０００４】
本発明の少なくともある実施形態及び態様の目的は、上記の技術及び既知の技術に対する改善を提供することである。
【０００５】
本発明の少なくともいくつかのある態様のさらなる目的は、いかなる工具も使用する必要なしで組み立てられるように構成されるパネルの組み立てを容易にすることである。
【０００６】
本発明の少なくともいくつかのある態様のさらなる目的は、工具を必要とせずに解体し及び組み立てられるように構成されるパネルの解体を容易にすることである。
【０００７】
本発明の少なくともいくつかのある態様のさらなる目的は、製造及び使用が容易な固定装置とともに組み立てられるように構成されるパネルの組み立てを容易にすることである。
【０００８】
本発明の少なくともいくつかのある態様のさらなる目的は、一体である固定装置とともに組み立てられるように構成されるパネルの組み立てを容易にすることである。
【０００９】
これらのうちの少なくともいくつか及び説明から明らかとなりうる他の目的及び利点は、パネル及び隣接するパネルを備える、好ましくは家具製品用の、パネルのセットによって達成されている。パネルは、溝と、開口を介して溝に接続される少なくとも１つの穴とを備える。隣接するパネルは、パネルの溝に配置されるように構成される第１エッジを備える。パネルは、隣接するパネルの第１エッジをパネルの溝に固定するように構成される固定装置を備える。固定装置は、シリンダー及びシリンダーに接続されるレバーを備える。シリンダーは、パネルにおける穴に配置されるように構成される。シリンダーは、上部及び下部ベースと、上部及び下部ベースに接続する固定面とを備える偏心シリンダーである。シリンダーは、穴における軸を中心にシリンダーが回転させられる場合に、カムとして機能するように構成される。レバーは、回転させられる場合に、シリンダーを取付位置と固定位置との間で軸を中心に回転させるように構成され、取付位置において、隣接するパネルの第１エッジがパネルの溝に自由に配置され、固定位置において、固定装置の固定面の一部が開口を通って溝内に延び、隣接するパネルを溝に固定する。パネルの溝に配置されるのは、溝の深さの方向及び／又は溝の長さに沿った方向でありうる。これによるパネルのセットによって、隣接するパネル及びパネルは、効果的な方法でそして簡単な方法で、互いに対して固定されうる。偏心シリンダーは隣接するパネルに力を加え、隣接するパネル及びパネルを良好な方法で一緒に固定する。固定装置の実施形態は、使用されるべきいかなる工具も必要としない。さらに、固定装置は、使いやすい一体部品であってもよい。さらに、一体部品の固定装置のみを有することによって、固定装置の製造を１つのステップで行うことができ、したがって固定装置のコストを削減することができる。パネルのセットの実施形態は、隣接するパネルが固定装置と相互作用することができるように特定の方法で機械加工される必要がないという利点を含みうる。
【００１０】
一態様によれば、シリンダーの固定面は、断面カタツムリ形状、断面偏心形状又は断面卵形状を有し、これらは、簡単な方法で固定装置から隣接するパネルへの必要とされる力を、簡単な方法で達成することができる。
【００１１】
一態様によれば、シリンダーの固定面は、カタツムリ形状、偏心形状及び／又は卵形状の組み合わせである形状を有し、これは、取付位置及び固定位置を安定した位置としうること、及び、ユーザーがレバーを回転させる場合に触覚フィードバックを得ることができることという利点を与える。
【００１２】
一態様によれば、固定装置は、固定位置において、隣接するパネルを、溝の壁にそれを押し付けることによってパネルに固定するように配置される。
【００１３】
一態様によれば、穴は円形の穴であり、穴の弓形（ｃｉｒｃｕｌａｒ  ｓｅｇｍｅｎｔ）は、弓形の高さで溝内に延在し、弓形の弦（ｃｈｏｒｄ）は、開口の幅を定める。
【００１４】
一態様によれば、シリンダーの最大直径は穴の直径に実質的に等しく、これは、固定装置が摩擦によって穴に固定され、同時に回転されうることを伴う。
【００１５】
一態様によれば、固定面の一部は、固定位置において、シリンダーの最大直径の５〜２５％である長さで、開口を通って溝内に延び、好ましくは、当該長さはシリンダーの最大直径の１０〜１５％である。
【００１６】
一態様によれば、固定面の一部が固定位置で溝内に延びるシリンダーの半径方向の長さは、実質的に弓形の高さに対応する。
【００１７】
一態様によれば、シリンダーは、取付位置において、開口を通って溝内に延在しない。したがって、溝は隣接するパネルを自由に挿入できる。
【００１８】
一態様によれば、開口を通って溝内に延在する固定面の部分の長さは、固定装置が取付位置から固定位置に移動される場合に徐々に増大するように構成され、これは、ユーザーに、隣接するパネルが固定されていることの触覚フィードバックを与える。
【００１９】
一態様によれば、シリンダーの固定面は、１つ又は複数の隆起を備え、力を１つ又は複数のポイントに集中させることによって、固定装置が隣接するパネルに及ぼす力を増大させる。隆起はまた、隣接するパネル及び／又は穴の壁に切り込んで、固定装置の強度及び加えられる力を増大させることができる。
【００２０】
一態様によれば、１つ又は複数の隆起は、固定面の周囲の少なくとも一部の周りに延在し、固定装置からの力が異なる位置で異ならせうることをもたらす。
【００２１】
一態様によれば、隆起の高さはその延在に沿って変化し、これは、固定装置からの力が異なる位置で異ならせうることをもたらす。
【００２２】
一態様によれば、１つ又は複数の隆起は、固定装置を取付位置から固定位置に移動させる場合に隣接するパネルを下向きに押すように構成されるらせん形状を有する。
【００２３】
一態様によれば、隣接するパネルは、開口に配置されるように且つシリンダーと相互作用して隣接するパネルをパネルに固定するように構成される第２の穴を備える。一態様によれば、シリンダーの固定面は、固定位置において、少なくとも部分的に第２の穴に配置されるように構成される少なくとも１つの隆起を備える。固定装置から加えられる押圧力に加え、シリンダーと相互作用する第２の穴は、さらなる機械的固定を実現する。穴は簡単且つコスト効率の高い方法で実現されうるため、パネルのセットは、隣接するパネルを複雑な方法で加工する必要がないという利点を伴う。
【００２４】
一態様によれば、隆起のエッジは、第２の穴の壁と相互作用して隣接するパネルをパネルの溝内に押し下げるように構成される傾斜面を有する。傾斜面を有することにより、隆起は隣接するパネルを溝において下向きに押すことができる。
【００２５】
一態様によれば、レバーは、内側端部でシリンダーに接続され、外側端部で固定ピンを備え、当該固定ピンは、固定位置において、穴から距離を置いて溝に配置されるように且つ固定位置から取付位置に向けての回転からレバーを固定するように構成される。
【００２６】
一態様によれば、固定装置は、レバーの外側端部が、取付位置において、隣接するパネルから距離を置いて配置され、固定位置において、隣接するパネルに隣接して、好ましくは接触して、配置されるように構成され、これはユーザーが外側端部を掴むこと及び固定装置を回転させることを容易にする。
【００２７】
一態様によれば、レバーが、取付位置において、隣接するパネルから約７０°から約１１０°の範囲内で又は本質的に垂直な方向に延びるように、固定装置は構成される。
【００２８】
一態様によれば、レバー及びシリンダーを３０°〜１８０°、好ましくは９０°〜１８０°、回転させることによって、固定装置は取付位置と固定位置との間で移動させられるように構成される。
【００２９】
一態様によれば、パネル及び隣接するパネルは、家具製品の後方ピース、フレーム及び引き出しの底部ピースのうちの１つである。
【００３０】
上記の特定された目的及び利点と説明から明らかでありうる他の目的及び利点とのうちの少なくともいくつかは、上記による家具製品のための固定装置によって達成されている。
【００３１】
上記の目的及び利点と説明から明らかでありうる他の目的及び利点との少なくともいくつかは、上記によるパネルのセットの組み立てのための方法によって達成されている。その方法は、固定装置のシリンダーをパネルの穴に挿入し、固定装置のレバーを回して固定装置を取付位置に位置付けて、隣接するパネルの第１エッジをパネルの溝内に挿入し、レバーを第１方向に回して固定装置を取付位置から固定位置に移動させて、隣接するパネルの第１エッジを溝に固定するステップを備える。
【００３２】
一態様によれば、その方法は、レバーを第２方向に回して固定装置を固定位置から取付位置に移動させて、溝における隣接するパネルの第１エッジを固定解除し、パネルの溝から隣接するパネルの第１エッジを取り除く更なるステップを備える。
【図面の簡単な説明】
【００３３】
発明の実施形態が可能であるこれらの及び他の態様、特徴及び利点は、添付の図面を参照することで、本発明の実施形態の以下の説明から明らかになり解明され、当該図面において：
【図１】図１は、組み立てられていない状態の発明の一態様によるパネルのセットの斜視図である。
【図２Ａ】図２Ａ及び２Ｂは、組み立てられた状態のパネルのセットの側面図及び固定装置の拡大図を示す。
【図２Ｂ】図２Ａ及び２Ｂは、組み立てられた状態のパネルのセットの側面図及び固定装置の拡大図を示す。
【図３】図３は、溝及び穴を開示するパネルの一部の断面図である。
【図４】図４は、溝及び穴を開示するパネルの一部を上から見た図である。
【図５】図５は、溝における隣接するパネル及び穴におけるシリンダーを開示する組み立てられたパネルのセットの一部の断面図である。
【図６Ａ】図６Ａ〜６Ｄは、４つの異なる角度からの一態様による固定装置を開示する。
【図６Ｂ】図６Ａ〜６Ｄは、４つの異なる角度からの一態様による固定装置を開示する。
【図６Ｃ】図６Ａ〜６Ｄは、４つの異なる角度からの一態様による固定装置を開示する。
【図６Ｄ】図６Ａ〜６Ｄは、４つの異なる角度からの一態様による固定装置を開示する。
【図７Ａ】図７Ａ〜７Ｄは、４つの異なる角度からの一態様による固定装置を開示する。
【図７Ｂ】図７Ａ〜７Ｄは、４つの異なる角度からの一態様による固定装置を開示する。
【図７Ｃ】図７Ａ〜７Ｄは、４つの異なる角度からの一態様による固定装置を開示する。
【図７Ｄ】図７Ａ〜７Ｄは、４つの異なる角度からの一態様による固定装置を開示する。
【図８Ａ】図８Ａ〜８Ｄは、４つの異なる角度からの一態様による固定装置を開示する。
【図８Ｂ】図８Ａ〜８Ｄは、４つの異なる角度からの一態様による固定装置を開示する。
【図８Ｃ】図８Ａ〜８Ｄは、４つの異なる角度からの一態様による固定装置を開示する。
【図８Ｄ】図８Ａ〜８Ｄは、４つの異なる角度からの一態様による固定装置を開示する。
【図９Ａ】図９Ａ〜９Ｄは、４つの異なる角度からの、取付位置、取付位置と固定位置との間の中間位置、及び固定位置における一態様によるパネルのセットの斜視図を開示する。
【図９Ｂ】図９Ａ〜９Ｄは、４つの異なる角度からの、取付位置、取付位置と固定位置との間の中間位置、及び固定位置における一態様によるパネルのセットの斜視図を開示する。
【図９Ｃ】図９Ａ〜９Ｄは、４つの異なる角度からの、取付位置、取付位置と固定位置との間の中間位置、及び固定位置における一態様によるパネルのセットの斜視図を開示する。
【図９Ｄ】図９Ａ〜９Ｄは、４つの異なる角度からの、取付位置、取付位置と固定位置との間の中間位置、及び固定位置における一態様によるパネルのセットの斜視図を開示する。
【図１０Ａ】図１０Ａ〜１０Ｃは、上からのパネルのセット、及び図１０ＡのラインＧ−Ｇに沿ったパネルのセットの断面図、及び固定装置の拡大を開示する。
【図１０Ｂ】図１０Ａ〜１０Ｃは、上からのパネルのセット、及び図１０ＡのラインＧ−Ｇに沿ったパネルのセットの断面図、及び固定装置の拡大を開示する。
【図１０Ｃ】図１０Ａ〜１０Ｃは、上からのパネルのセット、及び図１０ＡのラインＧ−Ｇに沿ったパネルのセットの断面図、及び固定装置の拡大を開示する。
【発明を実施するための形態】
【００３４】
本開示の態様は、添付の図面を参照して以下で更に十分に説明される。しかしながら、ここで開示されるパネルのセット及びそれらの部品は、多くの異なる形態で実現されうるものであり、ここに示される態様に限定されるものとして解釈されるべきではない。図面中の同様の番号は、全体を通して同様の要素を指す。
【００３５】
ここで使用される用語は、開示の特定の態様を説明することのみを目的としており、本開示を限定することを意図されていない。ここで使用される場合、単数形の「ａ」、「ａｎ」、及び「ｔｈｅ」は、文脈がそうでないことを明確に示さない限り、複数形も含むことが意図されている。
【００３６】
図面及び明細書では、開示の例示的な態様が開示されている。しかしながら、本開示の原理から実質的に逸脱することなく、これらの態様に対して多くの変形及び修正を行うことができる。したがって、開示は、限定的ではなく例示的であると見なされるべきであり、上述の特定の態様に限定されると見なされるべきではない。したがって、特定の用語が使用されているが、それらは一般的で説明的な意味でのみ使用されており、限定の目的のためではなく、例えば、幅又は広がり又は高さ又は長さ又は直径などの寸法の定義は、異なるように描かれる場合には、典型的な態様がどのように描かれるかに依存しており、一つの描写において示されている幅又は広がりは他の描写における長さ又は厚みである。
【００３７】
「備える」という用語は、リストされたもの以外の他の要素又は他のステップの存在を必ずしも除外するものではなく、ある要素に先行する「ａ」又は「ａｎ」という単語は、複数のそのような要素の存在を除外しないことに注意されるべきである。さらに、いかなる参照符号も特許請求の範囲を限定せず、例示態様はハードウェア及びソフトウェアの両方によって少なくとも部分的に実施されうるものであり、いくつかの「手段」、「ユニット」又は「デバイス」は、ハードウェアの同じアイテムによって表されることができることに注意されるべきである。
【００３８】
この明細書において「約」という用語が数値に関連して使用される場合、関連する数値は、記載された数値を中心にして＋／−１０％の許容誤差を含むことが意図されている。
【００３９】
ここで開示される発明の様々な態様は、ここで説明される他の態様と組み合わせられることができる。２つ以上の態様が組み合わせられうる。
【００４０】
ここで参照される図１に示されるような本発明の実施形態は、パネルのセット１を開示する。パネルのセット１は、好ましくは家具製品用である。パネルのセット１は、パネル２及び隣接するパネル３を備える。パネル２と隣接するパネル３とは、互いに接続され、互いに直角に交わるように配置されている。パネル２及び隣接するパネル３は各々、好ましくは、４つのエッジ、外面５、６及び内面７、８を備える。その外面及び／又は内面は、装飾層（図示せず）を含んでもよい。
【００４１】
パネル２の実施形態は、図３、４及び５に開示されている。パネル２は、溝２１及び少なくとも１つの穴２２を含む。穴２２は、開口２３を介して溝２１に接続されている。溝２１は、深さＤ２１及び幅Ｗを有する。溝２１は、一態様によれば、パネル２のエッジに平行に延びる。溝２１の長さは、一態様によれば、溝２１に配置されるべき隣接するパネル３の第１エッジ３１の長さ以上である。一態様によれば、穴２２の周囲は、溝２１の延長とオーバーラップする。穴２２と溝２１との間の接続を定める平面は、開口２３として定められる。穴２２は深さＤ２２を有する。一態様によれば、穴２２は、貫通穴（図示せず）である。深さＤ２２は、深さＤ２１と同じ又は実質的に同じであってもよく；あるいは、深さＤ２２は深さＤ２１より大きくてもよい。
【００４２】
一態様によれば、穴２２は、図３及び４に開示されるように、円形穴２２である。穴２３の弓形２５は、溝２１とオーバーラップする。別の言い方をすると、弓形２５は、溝２１内に延びる。穴２２は、弓形２５の高さｈで、溝２１内に延びる。溝２１内に延びる弓形２５の弦ｃは、開口２３を説明する別の方法である。弓形２５の弦ｃの長さは、開口２３の幅ｗを定める。穴２２は、直径ｄＨを有する。
【００４３】
溝２１は、壁２４、２９及び底２６を有する。穴２２は、壁２７及び底２８を有する。穴２２は軸Ａを定める。
【００４４】
隣接するパネル３は、図１、２Ａ、及び２Ｂに開示されるように、第１エッジ３１を備える。隣接するパネル３の第１エッジ３１は、パネル２の溝２１に配置されるように構成される。隣接するパネル３の厚さは、少なくとも第１エッジ３１において、パネル２の溝２１の幅Ｗ以下である。一態様によれば、隣接するパネル３は、第２の穴３２を備える。第２の穴３２の位置は、それがパネル２の開口２３に配置されるように構成されるような位置である。一態様によれば、第２の穴３２は、シリンダー４１と相互作用して、隣接するパネル３をパネル２に対して固定するように構成される。第２の穴３２は壁３３を有する。一態様によれば、第２の穴３２は、貫通穴３２である。一態様によれば、第２の穴３２は、底（図示せず）を有する。
【００４５】
パネル２は、固定装置４を備える。固定装置４は、隣接するパネル３の第１エッジ３１をパネル２の溝２１に固定するように構成される。言い換えれば、固定装置４は、隣接するパネル３をパネル２に固定するように適合されている。固定によって、隣接するパネル３の第１エッジ３１が、パネル２の溝２１から移動することが制限されることが意味される。言い換えると、固定装置４は、隣接するパネル３に加えなければならない少なくとも１つの方向の力を、固定装置４無しで溝２１からそれを取り除くために隣接するパネル３に加えなければならない力に比べて、増大させる。例えば、増大された力は、少なくとも２倍大きくてもよいし、又は少なくとも５倍大きくてもよい。
【００４６】
固定装置４は、図５及び図６Ａ〜８Ｄにおいてより詳細に開示されている。固定装置４は、シリンダー４１及びレバー４２を備える。レバー４２は、シリンダー４１に接続されている。シリンダー４１は、パネル２の穴２２に配置されるように構成されている。シリンダー４１は、偏心シリンダー４１である。そのシリンダーは、上部ベース４３、下部ベース４４、及び上部ベース４３と下部ベース４４とを接続する固定面４５を備える。偏心シリンダー４１によって、シリンダー４１が、異なる方向にその軸の異なる長さを有することが意味される。一態様によれば、シリンダーの偏心形状は、カタツムリ形状、（図５に開示されるような）楕円形状、卵形状、又は滴形状のうちの１つ又は組み合わせである。一態様によれば、シリンダー４１の固定面４５は、断面カタツムリ形状、断面偏心形状、断面楕円形状又は断面卵形状を有する。一態様によれば、シリンダー４１の固定面４５は、図６Ａ〜図８Ｄに開示されるようなカタツムリ形状、偏心形状、楕円形状又は卵形状のうちの少なくとも１つ以上の組み合わせである断面形状を有する。一態様によれば、シリンダー４１の固定面４５は、カタツムリ形状、偏心形状及び／又は卵形状の組み合わせである形状を有する。
【００４７】
固定装置４は、熱可塑性材料などのポリマー材料又は金属のうちの１つ又は混合物である材料から作られてもよく、好ましくはガラス繊維などの補強を有する。固定装置４は、射出成形によって製造されてもよい。
【００４８】
シリンダー４１は、シリンダー４１が穴２２において軸Ａを中心に回転される場合に、カムとして機能するように構成される。シリンダー４１は、隣接するパネル３と相互作用し、それが回転される場合にそれを動かしてもよいし、少なくとも隣接するパネル３に力を及ぼしてもよい。シリンダー４１の偏心は、シリンダー４１が回転される場合に、シリンダー４１が回転される中心である軸Ａから、固定面４５までの特定方向における距離が変化することを伴う。一態様によれば、シリンダー４１の最大直径ｄＬは、穴の直径ｄＨに実質的に等しい。実質的に等しいとは、互いに１０％以内であってもよいし、又は互いに５％以内であってもよいし、又は互いに３％以内であってもよい。言い換えると、シリンダーの最大直径ｄＬは、固定面４５上の２点間のラインに沿った最長距離である。一態様によれば、シリンダーの最大直径ｄＬは、固定面４５ａ上の２点間のシリンダー４１の中心点を含むラインに沿った、最長距離である。シリンダー４１の最大直径ｄＬを含む直径が穴２２の直径と相関するように設計されることにより、シリンダー４１は、穴２２に配置され、シリンダー４１と穴２２の壁２７との間の摩擦によって穴２２における適切な位置に保持されうる。
【００４９】
一態様によれば、シリンダー４１の固定面４５は、図６Ａ〜図８Ｄに開示されるように、１つ又は複数の隆起４６を備える。一態様によれば、図６Ａ〜Ｄに開示されるように、固定装置４は、固定面４５上に６つの隆起４６を備える。一態様によれば、図７Ａ〜Ｄに開示されるように、固定装置４は、固定面４５上に３つの隆起４６を備える。一態様によれば、図８Ａ〜Ｄに開示されるように、固定装置４は、図８Ｂに開示されるように、固定面４５の一方側に３つの隆起４６を備え、図８Ａ−８Ｃに開示されているように、固定面４５の別の側に１つの隆起４６を備える。それらの隆起４６は、固定装置４から隣り合うパネル２に及ぼされる力を、隆起４６のエッジに集中させる。固定装置４からの力は、隆起４６の数の間で分けられる。隆起４６の数が少ない場合、各隆起４６によって加えられる力は、より多くの隆起４６がある場合よりも大きい。一態様によれば、隆起は、穴２２の壁２６内に切り込むように適合される。一態様によれば、隆起は、図１０に開示されるように、パネル２内に切り込むように適合される。
【００５０】
一態様によれば、１つ又は複数の隆起４６は、固定面４５の周囲の少なくとも一部の周りに延びる。一態様によれば、隆起は、固定面４５の全周にわたって延在する。一態様によれば、隆起は、固定面４５の周囲の２７０°〜３５９°で延びる。一態様によれば、隆起は、固定面４５の周囲の１８０°〜２６９°で延びる。一態様によれば、隆起は、固定面４５の周囲の９０°〜１７９°で延在する。一態様によれば、隆起は、固定面４５の周囲の１０°〜８９°で延びる。隆起４６は、シリンダー４１の半径方向に高さを有する。言い換えると、隆起４６の高さは、隆起４６が半径方向に延びる距離／長さである。一態様によれば、隆起４６は、９０°以下である最上部角度を有する三角形の形状を有し、それによって、隆起４６は、穴２２の壁２６と相互作用するように適合された鋭いエッジを有する。
【００５１】
一態様によれば、隆起４６の高さは、その延長に沿って変化する。言い換えると、隆起４６の高さは、固定面４５の周囲に沿って変化する。一態様によれば、１つ又は複数の隆起４６は、らせん形状を有する。
【００５２】
一態様によれば、図８Ａ〜Ｄに開示されているように、シリンダー４１の固定面４５は、少なくとも１つの隆起４７を備える。一態様によれば、隆起４７のエッジは傾斜面４８を有する。固定装置４は、隆起４７の下方で下部ベース４４に突出部分５０を備えることができる。突出部分は、穴２２の壁２７と協働するように構成されてもよく、これにより、固定装置４の傾斜を低減又は防止しうる、図１０Ｃを参照。
【００５３】
レバー４２は、図６Ａ、７Ａ、及び８Ａに開示されるように、内側端部４２ａ及び外側端部４２ｂを有する。レバー４２は、シリンダー４１に接続されている。レバー４２の内側端部４２ａは、シリンダー４１に接続されている。レバー４２は、一態様によれば、外側端部４２ｂで固定ピン４９を備える。一態様によれば、固定ピン４９は、パネル２の外面６に対して固定することができる。一態様によれば、外側端部４２ｂは、ユーザーによって動かされるように構成されるハンドルを備える。
【００５４】
レバー４２は、回転されると、図９Ａに開示されるような取付位置と図９Ｃに開示されるような固定位置との間で、軸Ａの周りで、シリンダー４１を回転させるように構成される。一態様によれば、固定装置４は、レバー４２及びシリンダー４１を３０°〜１８０°回転させることによって、取付位置と固定位置との間で移動されるように構成される。一態様によれば、固定装置４は、レバー４２及びシリンダー４１を９０°〜１８０°回転させることによって、取付位置と固定位置との間で移動されるように構成される。
【００５５】
取付位置において、隣接するパネル３の第１エッジ３１は、パネル２の溝２１に自由に配置される。隣接するパネル３の第１エッジ３１は、図９Ａの矢印で示されるように隣接するパネル３をパネル２に向けて動かし、第１エッジ３１を溝２１内に挿入することによって、溝２１に配置される。一態様によれば、シリンダー４１は、取付位置では、開口２３を通って溝２１内に延びない。一態様によれば、シリンダー４１は、取付位置において開口２３を通って溝２１内にわずかに延びてもよい；しかしながら、固定位置において、シリンダー４１はさらに溝２１内に延びる。
【００５６】
一態様によれば、図９Ａに開示されるように、固定装置４は、レバー４２が、取付位置において、隣接するパネル３から約７０°〜約１１０°の範囲内に又は本質的に垂直な方向に延びるように構成される。
【００５７】
固定位置において、図５に開示されるように、固定装置４の固定面４５の一部４５ａが開口２３を通って溝２１内に延び、隣接するパネル３を溝２１において固定する。固定位置において、隣接するパネル３はパネル２に対して固定される。一態様によれば、固定装置４は、固定位置において、隣接するパネル３を、それを溝２１の壁２４に押し付けることによって、パネル２に固定するように配置される。溝２１内に延びる一部４５ａは、隣接するパネル３と接触し、それを溝２１の壁２４に押し付ける。一部４５ａは、図５に開示されるように、長さｈＰで開口２３を通って延びる。一態様によれば、固定面４５の一部４５ａは、固定位置において、開口２３を通って、シリンダー４１の最大直径ｄＬの５〜２５％である長さｈＰで溝２１内に延びる。一態様によれば、固定面４５の一部４５ａは、固定位置において、開口２３を通って、シリンダー４１の最大直径ｄＬの１０〜１５％である長さｈＰで溝２１内に延びる。
【００５８】
一態様によれば、固定位置において溝２１内に延在する固定面４５の一部４５ａのシリンダーの半径方向が、弓形２５の高さｈに実質的に対応する。換言すると、弓形２５の高さｈの方向は、固定面４５の一部４５ａの長さｈＰの方向と同じである。
【００５９】
一態様によれば、レバー４２の外側端部４２ｂは、取付位置において、隣接するパネル３から距離を置いて配置される。一態様によれば、レバー４２の外側端部４２ｂは、固定位置において、隣接するパネル３に隣接して配置される。一態様によれば、レバー４２の外側端部４２ｂは、固定位置において、隣接するパネル３と接触して配置される。一態様によれば、固定ピン４９は、固定位置において、レバー４２を固定位置から取付位置に向けて回転することから固定するように、溝２１に配置されるように構成される。一態様によれば、図９Ｃに開示されるように、固定ピン４９は、固定位置において、穴２２から距離を置いて溝２１に配置される。
【００６０】
一態様によれば、開口２３を通って溝２１内に延在する固定面４５の一部４５ａの長さは、固定装置４が取付位置から固定位置に移動される場合に徐々に増大するように、構成される。レバー４２が取付位置から固定位置に向かって移動されると、開口２３を通って延びる固定面４５の一部４５ａのサイズが徐々に増大し、その結果、隣接するパネル３に固定装置４から及ぼされる力もまた徐々に増大する。これは、固定装置４のユーザーに、隣接するパネル３が溝２１においてますますきつく固定されるという触覚フィードバックを与える。
【００６１】
一態様によれば、隆起４７のエッジの傾斜面４８は、固定位置において第２の穴３２の壁３３と相互作用するように構成される。一態様によれば、傾斜面４８は、固定位置において、隣接するパネル３をパネル２の溝２１において下向きに押すように構成される。
【００６２】
一態様によれば、らせん形状の隆起４６は、固定装置４を取付位置から固定位置に移動させる場合に、隣接するパネル３を下向きに押すように構成される。一態様によれば、図１０ｃに開示されるように、少なくとも１つの隆起４７は、固定位置において、少なくとも部分的に第２の穴３２に配置されるように構成される。隆起４７は、さらなる固定として働き、隣接するパネル３を溝２１において固定する。
【００６３】
一態様によれば、図１０に開示されているように、固定装置が取付位置から固定位置に向かって移動される場合に、隆起は、穴２２の壁２７に及び／又は隣接するパネル３に切り込むように適合される。固定装置４が回されると、隆起は隣接するパネル３と穴２２の壁２４とに対して力を及ぼす。その力がある値を超える場合、固定装置４、隣接するパネル３及び壁２７の材料に応じて、固定装置４の隆起４６は、壁２７及び隣接するパネル３の一方又は両方に切り込む。
【００６４】
一態様によれば、隣接するパネル３は、さらなるパネル２に対して固定されるように構成されるさらなるエッジを備える。
【００６５】
一態様によれば、パネルは、溝２１に２つ以上の穴２２と、各穴２２に配置されるように構成される対応する数の固定装置４とを備える。一態様によれば、パネルは２つ以上の溝２１を備える。
【００６６】
一態様によれば、パネル２及び隣接するパネル３は、引き出しの底部片、フレーム、及び家具製品の後部片（ｂａｃｋ  ｐｉｅｃｅ）のうちの１つである。
【００６７】
以下、図９Ａ〜図９Ｃを参照して、上記によるパネルのセット１の組立及び解体の方法が説明される。
【００６８】
ユーザーがパネルのセット１を組み立てる必要がある場合、次のステップが行われる。固定装置４のシリンダー４１が、パネル２の穴２２内に挿入される。その後、レバー４２が回されて、固定装置４を取付位置に位置付ける。
【００６９】
隣接するパネル３の第１エッジ３１が、パネル２の溝２１内に挿入される。
【００７０】
隣接するパネル３の第１エッジ３１が溝２１に配置されると、レバー４２は、図９Ｂの矢印によって開示されるように、第１方向に回転され、固定装置４を取付位置から固定位置に移動させて、隣接するパネル３の第１エッジ３１を溝２１に固定する。
【００７１】
一態様によれば、隣接するパネル３のエッジ３１は、固定装置４が穴２２に配置される前に、パネル２の溝２１内に挿入される。その後、固定装置４は、隣接するパネル３及びパネル２に関して取付位置に位置決めされた状態で、穴２２内に挿入される。したがって、上記のステップは、隣接するパネル３をパネル２に固定するために特定の順序で実行される必要はない。
【００７２】
一態様によれば、固定装置４は、別のユーザーによって又は機械によって工場において穴２２内に挿入される。したがって、方法のステップは、異なるユーザーによって又は機械によって実行されるように分けられることができる。
【００７３】
一態様によれば、パネルのセット１は、引き出しの底部片、フレーム、家具製品の後部片、及びエッジを補強するためのパネルのうちの１つである。
【００７４】
パネルのセット１が組み立てられてそのユーザー又は別のユーザーがパネルのセット１を解体したい後、以下のステップが実行される。図９Ｃの矢印で示されているように、レバー４２を第２方向に回して、固定装置４を固定位置から取付位置に移動し、隣接するパネル３の第１エッジ３１を溝２１において固定解除する。レバー４２が取付位置に戻される場合、シリンダー４１はそれと共に回転する。シリンダー４１が取付位置に向かって回転するにつれて、開口２３を通って延びる固定面４５の一部４５ａの長さが減少し、したがって隣接するパネル３に対して固定装置４により及ぼされる力も減少される。その後、隣接するパネル３の第１エッジ３１は、パネル２の溝２１から除去され、パネルのセット１は解体される。
【００７５】
一態様によれば、上記のステップが繰り返され、パネルのセット１が再び組み立てられる。一態様によれば、パネル２及び／又は隣接するパネル３は、別の隣接するパネル３及び／又はパネル２に固定される。
【００７６】
一態様によれば、パネル２は、幅Ｗを有する溝２１を備え、当該幅Ｗは、隣接するパネル３の幅Ｔ及び固定装置４の最大直径ｄＬと比べて等しいか又はより小さく、隣接するパネル３の幅Ｔ及び固定装置４の最小径よりも大きい。一態様によれば、隣接するパネル３のエッジ３１及び固定装置４は、溝２１に配置されるように構成され、固定装置４は、取付位置と固定位置との間で溝２１において回転される。
【００７７】
一態様によれば、パネルのセットは、弾性パネルである。弾性パネルは、熱可塑性材料を備えるコアを備える。熱可塑性材料は発泡されていてもよい。
【００７８】
熱可塑性材料は、ポリ塩化ビニル（ＰＶＣ）、ポリエステル、ポリプロピレン（ＰＰ）、ポリエチレン（ＰＥ）、ポリスチレン（ＰＳ）、ポリウレタン（ＰＵ）、ポリエチレンテレフタレート（ＰＥＴ）、ポリアクリレート、メタクリレート、ポリカーボネート、ポリビニルブチラール、ポリブチレンテレフタレート、或いはそれらの組み合わせを備えうる。コアは、いくつかの層から形成されてもよい。
【００７９】
上記の態様は、熱可塑性材料を備える装飾箔などの装飾層を備えうる。装飾層の熱可塑性材料は、ポリ塩化ビニル（ＰＶＣ）、ポリエステル、ポリプロピレン（ＰＰ）、ポリエチレン（ＰＥ）、ポリスチレン（ＰＳ）、ポリウレタン（ＰＵ）、ポリエチレンテレフタレート（ＰＥＴ）、ポリアクリレート、メタクリレート、ポリカーボネート、ポリビニルブチラール、ポリブチレンテレフタレート、又はそれらの組み合わせでありうる又は備えうる。装飾箔は、好ましくは、例えば直接印刷、グラビア印刷、又はデジタル印刷によって、プリントされる。一態様によれば、装飾層は、メラミン、高圧ラミネート（ＨＰＬ）又はベニヤを備える。
【００８０】
上記の態様は、フィルム又はホイルなどの摩耗層を備えていてもよい。摩耗層は、熱可塑性材料を備えうる。熱可塑性材料は、ポリ塩化ビニル（ＰＶＣ）、ポリエステル、ポリプロピレン（ＰＰ）、ポリエチレン（ＰＥ）、ポリスチレン（ＰＳ）、ポリウレタン（ＰＵ）、ポリエチレンテレフタレート（ＰＥＴ）、ポリアクリレート、メタクリレート、ポリカーボネート、ポリビニルブチラール、ポリブチレンテレフタレート、又はそれらの組み合わせであってもよい。
【００８１】
上記の態様は、ＨＤＦ、ＭＤＦ、合板、パーティクルボード（ｐａｒｔｉｃｌｅｂｏａｒｄ）、ＯＳＢ又はメゾナイト（ｍａｓｏｎｉｔｅ）などの木材ベースのコアを備えるパネルを備えうる。
【図１】
2021508019.tif 000003
【図２Ａ】
2021508019.tif 000004
【図２Ｂ】
2021508019.tif 000005
【図３】
2021508019.tif 000006
【図４】
2021508019.tif 000007
【図５】
2021508019.tif 000008
【図６Ａ】
2021508019.tif 000009
【図６Ｂ】
2021508019.tif 000010
【図６Ｃ】
2021508019.tif 000011
【図６Ｄ】
2021508019.tif 000012
【図７Ａ】
2021508019.tif 000013
【図７Ｂ】
2021508019.tif 000014
【図７Ｃ】
2021508019.tif 000015
【図７Ｄ】
2021508019.tif 000016
【図８Ａ】
2021508019.tif 000017
【図８Ｂ】
2021508019.tif 000018
【図８Ｃ】
2021508019.tif 000019
【図８Ｄ】
2021508019.tif 000020
【図９Ａ】
2021508019.tif 000021
【図９Ｂ】
2021508019.tif 000022
【図９Ｃ】
2021508019.tif 000023
【図１０Ａ】
2021508019.tif 000024
【図１０Ｂ】
2021508019.tif 000025
【図１０Ｃ】
2021508019.tif 000026
【国際調査報告】
2021508019.tif 000027
2021508019.tif 000028
2021508019.tif 000029
2021508019.tif 000030